(57)【要約】【課題】壁面緑化の設置現場で容易に組み立てができ、作業時間を短くすることのできるフレームを提供する。【解決手段】壁面緑化フレーム１は、固化培土Ｄを収納する収納室１２Ｒと、その収納室１２Ｒ内に収納された固化培土Ｄに潅水する潅水部２１と、前記固化培土Ｄに植えられた植物Ｂを支持する線材６０を取り付けるための第１取付孔１４と、壁面緑化を施す面に取り付けるための溝条１９とを備えた下枠１０と、下枠１０の両端側にそれぞれ設けられた縦枠４０と、縦枠４０の上部に設けられた上枠３０と、からなる壁面緑化フレーム１を上下左右に配置して構成する。【選択図】図１３
2014193149.tif 000002
【特許請求の範囲】
【請求項１】
固化培土を収納する収納室と、
該収納室内に収納された固化培土に潅水する潅水部と、
前記固化培土に植えられた植物を支持する支持材を取り付けるための支持材取付部と、
壁面緑化を施す面に取り付けるための取付機構と、
を備えた下枠を有することを特徴とする壁面緑化フレーム。
【請求項２】
前記潅水部には、カバー材が設けられていることを特徴とする請求項１に記載の壁面緑化フレーム。
【請求項３】
前記下枠の両端側には、縦枠がそれぞれ設けられるとともに、それら縦枠の上部には上枠を設けたことを特徴とする請求項１又は２に記載の壁面緑化フレーム。
【請求項４】
前記上枠に植物の支持材を取り付けるための支持材取付部を設け、該支持材を前記下枠に設けられている前記支持材取付部との間に設けることを特徴とする請求項３に記載の壁面緑化フレーム。
【請求項５】
前記支持材取付部は、左右方向に延びるフラットバーに設けられるとともに、複数種の前記支持部が変更自在に取り付けられることを特徴とする請求項１乃至４のいずれか１項に記載の壁面緑化フレーム。
【請求項６】
前記フラットバーの前側の端部は、曲面状に形成されていることを特徴とする請求項５に記載の壁面緑化フレーム。
【請求項７】
前記取付機構は、ボルトの頭部が移動自在に挿入される溝条に形成されていることを特徴とする請求項１乃至６のいずれか１項に記載の壁面緑化フレーム。
【請求項８】
前記収納室内に収納される固化培土は、その収納室の内壁面に間隙を有して収納されていることを特徴とする請求項１乃至７のいずれか１項に記載の壁面緑化フレーム。
【請求項９】
前記下枠には、前記収納室を挟んで壁面緑化を施す面側とは反対側に前壁が設けられ、
該前壁は、上下方向に沿って湾曲するとともに、前記収納室側に凹となる凹曲面が形成されていることを特徴とする請求項１乃至８のいずれか１項に記載の壁面緑化フレーム。
【請求項１０】
固化培土を収納する収納室、その収納室内に収納された固化培土に潅水する潅水部、前記固化培土に植えられた植物を支持する支持材を取り付けるための支持材取付部及び壁面緑化を施す面に取り付けるための取付機構を備えた下枠と、
前記下枠の両端側にそれぞれ設けられた縦枠と、
前記縦枠の上部に設けられた上枠と、
からなる壁面緑化フレームを上下左右に配置して構成されたことを特徴とする壁面緑化構造。
【請求項１１】
前記潅水部には、カバー材が設けられていることを特徴とする請求項１０に記載の壁面緑化構造。
【請求項１２】
前記上枠に植物の支持材を取り付けるための支持材取付部を設け、該支持材を前記下枠に設けられている前記支持材取付部との間に設けることを特徴とする請求項１０又は１１に記載の壁面緑化構造。
【請求項１３】
前記支持材取付部は、左右方向に延びるフラットバーに設けられるとともに、複数種の前記支持部が変更自在に取り付けられることを特徴とする請求項１０乃至１２のいずれか１項に記載の壁面緑化構造。
【発明の詳細な説明】
【技術分野】
【０００１】
本発明は、壁面緑化フレーム及びその壁面緑化フレームを用いた壁面緑化構造に関する。
【背景技術】
【０００２】
近年、地球温暖化に対する環境負荷低減策として、壁面緑化が注目されている。この壁面緑化は建築物の壁面を植物で覆うことで表面温度を下げて冷房負荷を低減することができるとともに、周辺に対して熱の照り返しを防止することができ、さらに環境の美化に資することができる等の効果を得ることができる。
【０００３】
壁面緑化を実施するに当たっては、植物の育成基材としての土壌を垂直方向に支持する必要から、自然の土壌よりも軽量化され、かつ、固形性に富む緑化基材が提案されている。このような緑化基材としては、例えば、特許文献１には無機質発砲体を主成分とする緑化基材が開示されている。また、軽量化及び固形性に富むとともに、植物の育成に重要な保水性・透水性の物理的性質に富んだポリエステル繊維を用いた固化培土も市販されている。
【先行技術文献】
【特許文献】
【０００４】
【特許文献１】特開２００２−１１９１３０号公報
【発明の概要】
【発明が解決しようとする課題】
【０００５】
上述のように、軽量化及び固形化に富み、しかも、保水性・透水性に富んだ固化培土は種々提案されているが、壁面緑化の場合は、建築物等の構造物の壁面に沿って、つまり垂直面に沿って固化培土を如何にして保持するかという課題を有していた。すなわち、従来の壁面緑化の施工に当たっては、緑化の対象となる壁面に合わせて固化培土の収納部、取付部、潅水施設等の設備を作っていたので多くの手間を要するとともに、設置現場における作業時間も長くなるという課題があった。
【０００６】
本発明は、上述する問題点に鑑みてなされたもので、壁面緑化フレームのユニット化を図ることにより組立作業及び取付作業を容易に行うことのできる壁面緑化フレーム及びその壁面緑化フレームを用いた壁面緑化構造を提供することを目的とする。
【課題を解決するための手段】
【０００７】
上記目的を達成するため、本発明に係る壁面緑化フレームでは、固化培土を収納する収納室と、収納室内に収納された固化培土に潅水する潅水部と、固化培土に植えられた植物を支持する支持材を取り付けるための支持材取付部と、壁面緑化を施す面に取り付けるための取付機構と、を備えた下枠を有することを特徴としている。
【０００８】
本発明では、固化培土を収納する収納室、潅水部、支持材取付部、及び取付機構が予め一体でユニット化された構成となっているので、これらの部品が各別に設けられる場合に比べて組み立てや解体を容易に行うことができ、これらの作業にかかる手間や時間を低減することができる。
【０００９】
また、本発明に係る壁面緑化フレームでは、潅水部には、カバー材が設けられていることが好ましい。
【００１０】
本発明によれば、カバー材によって下枠の潅水部が覆われるので、潅水部を保護することができるとともに、潅水部の内側が外から見えることがないので、下枠全体の見栄えが良好となる利点がある。
【００１１】
また、本発明に係る壁面緑化フレームでは、下枠の両端側には、縦枠がそれぞれ設けられるとともに、それら縦枠の上部には上枠を設けることも可能である。
【００１２】
この場合、下枠、一対の縦枠、及び上枠がそれぞれユニット化されたもので構成され、これら各ユニットを組み合わせることで、正面視で矩形状をなす壁面緑化のフレーム構造を容易に作成することができる。
【００１３】
また、本発明に係る壁面緑化フレームでは、上枠に植物の支持材を取り付けるための支持材取付部を設け、支持材を下枠に設けられている支持材取付部との間に設けるようにしてもよい。
【００１４】
本発明によれば、下枠及び上枠の間に植物を支持する支持材を容易に取り付けることができる。
【００１５】
また、本発明に係る壁面緑化フレームでは、支持材取付部は、左右方向に延びるフラットバーに設けられるとともに、複数種の支持部が変更自在に取り付けられることが好ましい。
【００１６】
この場合、複数種の支持部をフラットバーに設けることができるので、下枠及び上枠の間に植物に適応した最適な支持材を選定して取り付けることができる。
【００１７】
また、本発明に係る壁面緑化フレームでは、フラットバーの前側の端部は、曲面状に形成されていることが好ましい。
【００１８】
この場合、上下に配設される緑化フレーム同士の間に形成される隙間を風が通過する際、すなわち上下の突出片の端部の曲面に沿って風が滑らかに流れるので、前記隙間を通過する際に生じる風切音を小さく抑えることができる。
【００１９】
また、本発明に係る壁面緑化フレームでは、取付機構は、ボルトの頭部が移動自在に挿入される溝条に形成されていることが好ましい。
【００２０】
この場合、ボルトの頭部を溝条内に沿って任意の位置に移動させることができるので、壁面緑化を施す面の所定位置に設けられる取付部分の位置にかかわらず取り付けることができる。そのため、組み付け時に生じる位置合わせ作業が不要となり、作業の効率化を図ることができる。
【００２１】
また、本発明に係る壁面緑化フレームでは、収納室内に収納される固化培土は、その収納室の内壁面に間隙を有して収納されていることが好ましい。
【００２２】
本発明では、前記間隙において、収納室に収納されている固化培土に植えられている植物の根の張り出しが抑制されるので、根詰まりが防止され、植物の長期的な健全育成を期待することができる。
【００２３】
また、本発明に係る壁面緑化フレームでは、下枠には、収納室を挟んで壁面緑化を施す面側とは反対側に前壁が設けられ、前壁は、上下方向に沿って湾曲するとともに、収納室側に凹となる凹曲面が形成されていることが好ましい。
【００２４】
この場合には、風を受けやすい凹曲面が円弧状になっていて、その曲面に沿って風が流れるため、支持材に絡まっている植物の根元部分に風が直接当たるのを防止することができる。
【００２５】
また、本発明に係る壁面緑化構造では、上記目的を達成するために、固化培土を収納する収納室、その収納室内に収納された固化培土に潅水する潅水部、固化培土に植えられた植物を支持する支持材を取り付けるための支持材取付部及び壁面緑化を施す面に取り付けるための取付機構を備えた下枠と、下枠の両端側にそれぞれ設けられた縦枠と、縦枠の上部に設けられた上枠と、からなる壁面緑化フレームを上下左右に配置して構成されたことを特徴としている。
【００２６】
上記構成に係る壁面緑化構造では、固化培土を収納する収納室、潅水部、支持材取付部、及び取付機構がユニット化されて壁面緑化フレームが形成され、その複数の壁面緑化フレームを上下左右に配置することができる。
【００２７】
また、本発明に係る壁面緑化構造では、潅水部には、カバー材が設けられていることが好ましい。
【００２８】
この場合、カバー材によって下枠の潅水部が覆われるので、潅水部を保護することができるとともに、潅水部の内側が外から見えることがないので、下枠全体の見栄えが良好となる利点がある。
【００２９】
また、本発明に係る壁面緑化構造では、上枠に植物の支持材を取り付けるための支持材取付部を設け、支持材を下枠に設けられている支持材取付部との間に設けるようにしてもよい。
【００３０】
この場合、植物を支持する支持材が下枠及び上枠の間に容易に取り付けることができる。
【００３１】
また、本発明に係る壁面緑化構造では、支持材取付部は、左右方向に延びるフラットバーに設けられるとともに、複数種の支持部が変更自在に取り付けられることが好ましい。
【００３２】
本発明の壁面緑化構造では、複数種の支持部をフラットバーに設けることができるので、下枠及び上枠の間に植物に適応した最適な支持材を選定して取り付けることができる。
【発明の効果】
【００３３】
本発明の壁面緑化フレーム及びそれを用いた壁面緑化構造によれば、固化培土を収納する収納室、潅水部、支持材取付部、及び取付機構がユニット化され、そのユニット化された壁面緑化フレームを上下左右に配置して壁面緑化構造とすることができるので、設置現場で容易に壁面緑化フレームの組み立て、及び壁面緑化構造の製作ができるから、設置現場における作業時間を短くすることができる。
【図面の簡単な説明】
【００３４】
【図１】本発明の第１の実施の形態による壁面緑化フレームを用いた壁面緑化構造の正面図である。
【図２】図１に示す壁面緑化フレームの正面図である。
【図３】図１に示す壁面緑化フレームの平面図である。
【図４】図１に示す壁面緑化フレームの底面図である。
【図５】図１に示す壁面緑化フレームの右側面図である。
【図６】図１に示す壁面緑化フレームの背面図である。
【図７】図２に示すＸ１−Ｘ１線断面図であって、壁面緑化フレームに固化培土を収納した状態の図である。
【図８】壁面緑化フレームの下枠の正面図である。
【図９】壁面緑化フレームの下枠の背面図である。
【図１０】壁面緑化フレームの下枠の平面図である。
【図１１】壁面緑化フレームの下枠の底面図である。
【図１２】壁面緑化フレームの下枠の右面図である。
【図１３】図１に示すＸ２−Ｘ２線の拡大断面図である。
【図１４】図１に示すＸ３−Ｘ３線の拡大断面図である。
【図１５】第２の実施の形態による壁面緑化フレームを示す縦断面図である。
【図１６】図１５に示す壁面緑化フレームの下枠の一側面である。
【図１７】図１６に示す下枠の正面図である。
【図１８】図１６に示す下枠の背面図である。
【図１９】図１６に示す下枠の平面図である。
【図２０】図１６に示す下枠の底面図である。
【図２１】第３の実施の形態による壁面緑化フレームの縦枠の一側面である。
【図２２】（ａ）は第４の実施の形態による壁面緑化フレームを示す概略図、（ｂ）は（ａ）のＸＸＩＩｂで示す拡大図である。
【発明を実施するための形態】
【００３５】
以下、本発明の実施の形態による壁面緑化フレーム及びそれを用いた壁面緑化構造について図面を用いて説明する。なお、本発明は、この実施の形態により限定されるものではなく、また、下記の実施の形態における構成要素には、当業者が置換可能かつ容易なもの、あるいは実質的に同一ものも含まれる。
【００３６】
（第１の実施の形態）
図１は、本実施の形態による壁面緑化フレーム（以下、「フレーム」という。）１を用いた壁面緑化構造Ａの正面図であって、図示しない建築物の壁面を覆うように設けられている。この壁面緑化構造Ａは、長方形状のフレーム１を長辺方向が水平になるようにして上下左右方向に複数枚（図示の例では、上下方向に６枚、左右方向に１０枚）を並設して構成されている。図１中の符号Ｂは、フレーム１に植えられた植物を示している。
【００３７】
図２〜図７は、フレーム１を示している。なお、フレーム１の左側面図は右側面図と対称に表われ、また、図２の正面図におけるフレーム１は、例えば左右幅を３．３ｍとし、上下の高さを１．５ｍとすることができる。
【００３８】
フレーム１は、図２に示すように、下枠１０、カバー材２０（図１３参照）、上枠３０及び縦枠４０を備えている。このうち下枠１０は、固化培土Ｄ（図７参照）を収納し、その下枠１０の形状は、図８〜図１２に示されている。なお、下枠１０の左側面図は右側面図と対称に表われ、また、例えば、図８の正面図における下枠１０の左右幅は３．３ｍで、図１２の右面図における下枠１０の左右幅は２６ｃｍ、上下の高さは９ｃｍである。
【００３９】
以下、図１３及び図１４を用いてフレーム１の詳細について説明する。なお、図１３の拡大割合及び図１４の拡大割合は、作図の都合上異なっている。
【００４０】
下枠１０は、図示しない建築物の壁面緑化を施す面に設けられる取付枠５０に取り付けられるように構成されている。すなわち、下枠１０は、取付枠５０から突出して設けられている取付片５１にＬ型金具５２を介して取り付けられるように構成されている。この取付片５１は、図１に示される各フレーム１に対応して複数個設けられていて、取付枠５０を工場で製造する際にその取付枠５０と一体化して製造されている。
【００４１】
上記Ｌ型金具５２は、ボルト・ナット５３を介して取付片５１に取り付けられるとともに、Ｌ型金具５２には、ボルト・ナット５４を介して下枠１０が取り付けられるように構成されている。また、取付片５１のボルト・ナット５３の挿入される孔及びＬ型金具５２のボルト・ナット５４の挿入される孔は、それぞれ長孔に形成されていて取付位置の調整ができるように工夫されている。
【００４２】
下枠１０は、アルミニウム合金製の型材からなり、突出片１１と、収納部１２と、取付部１３とが一体で構成されていて、上述した図８〜図１１に示されるように長尺状を呈している。この下枠１０は型材からなるので、断面から見たときには、補強用等のために一端が開放した突起条が表われている。なお、この下枠１０は、アルミニウム合金製以外にも、例えばステンレス、鋼、亜鉛メッキ鋼等の金属板を折り曲げ加工により製造することができる。
【００４３】
突出片１１（フラットバー）は、フレーム１の前方（取付枠５０と反対方向）に向けて所定距離だけ突出するように設けられている。そして、この突出片１１はフレーム１の長手方向（左右方向）に沿って所定の間隔を保って後述する線材６０の第１取付孔１４（支持材取付部）が設けられている。
【００４４】
収納部１２には、固化培土Ｄを収納する所定の容積を有する上部開口の収納室１２Ｒが形成されている。そして、その収納室１２Ｒの底面１５は奥方向側（取付枠５０方向側）が低くなるように傾斜し、その傾斜の最も低い箇所に水抜き穴１６が設けられている。また、その収納室１２Ｒの奥側の壁面１２ａの高さは前方側より低く形成されているとともに、その壁面１２ａの内側には、固化培土Ｄの底面を受けて収納された固化培土Ｄを水平に保つ突起１７が設けられている。
【００４５】
取付部１３は、収納部１２とＬ型金具５２との間に設けられている。そして、この取付部１３の内部には中空室１８が形成されている。この中空室１８の前側の壁面１８ａは収納部１２の収納室１２Ｒの奥側の壁面１２ａと共通で、上壁面１８ｂが収納室Ｒに向けて下がった傾斜面に形成され、底面１８ｃが収納部１２の収納室１２Ｒの底面１５の延長上で、かつ、奥側の壁面１８ｄがＬ型金具５２側に当接されるように構成されている。
【００４６】
このように、下枠１０が中空室１８を有する取付部１３を介してＬ型金具５２に取り付けられるようにすると、下枠１０の強度を十分に保つことができる。したがって、収納室１２Ｒに水分を含む固化培土Ｄが収納されても十分に保持することができるとともに、線材６０の取付張力にも十分に対処することができる。
【００４７】
中空室１８のＬ型金具５２側に当接される壁面１８ｄの内側には、ボルト・ナット５４のボルト頭部が挿入されるカーテンレール状の溝条１９（取付機構）が設けられている。この溝条１９は、ボルト・ナット５４のボルト頭部がネジ部を外に出しながらフレーム１の長手方向に沿って自由に移動でき、かつ、そのボルト頭部の脱出を阻止できるように構成されている。したがって、ボルト・ナット５４を移動させることにより、下枠１０をＬ型金具５２に容易に取り付けることができる。
【００４８】
カバー材２０はアルミニウム合金製の型材からなり、下枠１０の取付部１３の上部全部を内部に空間を有して覆うことができるようして、その下枠１０の長手方向と同方向に延びる長尺状に形成されている。また、このカバー材２０は下枠１０の取付部１３に着脱自在に設けられるように構成されている。
【００４９】
このカバー材２０は、取付部１３の中空室１８の上壁面１８ｂ上に配設される後述する給水パイプ７０を覆うように設けられている。そして、このカバー材２０の収納室１２Ｒ側の壁面端部２０ａは、中空室１８の上壁面１８ｂより少し上となるように間隙が構成されていて、その間隙が潅水部２１として形成されている。したがって、給水パイプ７０から供給された水は中空室１８の上壁面１８ｂ上を流下して収納室１２Ｒ内の固化培土Ｄに潅水される。
【００５０】
なお、このカバー材２０は、下枠１０の必須の部材ではないが、給水パイプ７０を保護するとともに位置決めができ、また、給水パイプ７０が露出しないのでフレーム１全体の見栄えを良くすることができる。
【００５１】
固化培土Ｄは、保水性・透水性の物理的性質に富んだ周知の固化培土を用いることができる。この固化培土Ｄは、底面が傾斜している収納室１２Ｒの突起１７に固化培土Ｄの底面の一部を載置し、さらに、取付部１３と反対側が壁面１２ｂに接しないように所定の間隙（空間）を有するようにして収納室１２Ｒ内に収納される。
【００５２】
このように、固化培土Ｄの底面及び周囲の一部に間隙が存在すると、その間隙においては根の張り出しが抑制されて根詰まりが防止されるので、植物の長期的な健全育成を期待することができる。なお、収納室１２Ｒの内壁面に内側に突出する突起を設けて固化培土Ｄの周囲が確実に壁面に接しないようにしてもよい。
【００５３】
上枠３０は、下枠１０と平行で、かつ、その下枠１０から上方に向けて所定距離だけ離れて設けられ、下枠１０と同様に、取付枠５０に取り付けられるように構成されている。すなわち、この上枠３０は、取付枠５０から突出して設けられている取付片５１にＬ型金具５２を介して取り付けられるように構成されている。
【００５４】
この上枠３０も下枠１０と同様に、アルミニウム合金製の型材からなり、突出片３１と、中間部３２と、取付部３３とが一体で構成されていて、上述した図３に示されるように長尺状を呈している。この上枠３０は型材からなるので、断面から見たときには、補強用等のために一端が開放した突起条が表われている。なお、この上枠３０は、アルミニウム合金製以外にも、例えばステンレス、鋼、亜鉛メッキ鋼等の金属板を折り曲げ加工により製造することができる。
【００５５】
突出片３１（フラットバー）は、下枠１０の突出片１１と同様に、フレーム１の前方（取付枠５０と反対方向）に向けて所定距離だけ突出するように設けられているとともに、フレーム１の長手方向（左右方向）に沿って所定の間隔を保って線材６０の第２取付孔３４（支持材取付部）が設けられている。この第２取付孔３４のＬ型金具５２からの距離は、下枠１０の突出片１１に設けられている第１取付孔１４と同様に決められている。
【００５６】
中間部３２は、突出片３１の上端部より少し低い位置からＬ型金具５２側に延び、内部が中空部３５に形成れている。そしてこの中空部３５は、底面が水平で、上面は突出片３１側が低くなるように傾斜が付けられている。したがって、中間部３２上の水を突出片３１側に流すことができる。
【００５７】
取付部３３は、中間部３２とＬ型金具５２との間に設けられ、内部が中空部３６に形成されている。そして、この取付部３３の突出片３１と反対側の壁面３３ａがＬ型金具５２側に当接されるように構成されている。また、Ｌ型金具５２側に当接される壁面３３ａには、ボルト・ナット５４のボルト頭部が挿入されるカーテンレール状の溝条３７が設けられている。この溝条３７は、ボルト・ナット５４のボルト頭部がネジ部を外に出しながらフレーム１の長手方向に沿って自由に移動でき、かつ、そのボルト頭部の脱出を阻止できるように構成されている。したがって、ボルト・ナット５４を移動させることにより、上枠３０をＬ型金具５２に容易に取り付けることができる。
【００５８】
上記構成からなる上枠３０は、内部に中空部３５を有する中間部３２、及び中空部３６を有する取付部３３を介してＬ型金具５２に取り付けられるようにしているので、上枠３０の強度を十分に保つことができる。したがって、線材６０の取付張力にも十分に対処することができる。
【００５９】
図１４に示すように、縦枠４０は、上下に所定の間隔を保って配設された下枠１０及び上枠３０の両端部間を接続するように設けられている。そしてこの縦枠４０も、下枠１０及び上枠３０と同様に、取付枠５０に取り付けられるように構成されている。すなわち、この縦枠４０も取付枠５０から突出して設けられている取付片５１にＬ型金具５２を介して取り付けられるように構成されている。
【００６０】
なお、この縦枠４０も上述の下枠１０及び上枠３０と同様に、アルミニウム合金製の型材で構成されている、また、この上縦枠４０は、アルミニウム合金製以外にも、例えばステンレス、鋼、亜鉛メッキ鋼等の金属板を折り曲げ加工により製造することができる。
【００６１】
この縦枠４０の内部は、縦方向に延びる第１中空部４１及び第２中空部４２に形成されている。すなわち、第１中空部４１は下枠１０の収納部１２に対向して設けられ、第２中空部４２は取付部１３に対向して設けられている。そして、図１３に示すように、第１中空部４１の上端部の手前側（上枠３０の突出片３１側）には、上枠３０の中間部３２の上壁面上と同じ位置に達するまで切り欠かれた切欠部４３が設けられている。したがって、上枠３０の中間部３２の上壁面上に存在する水分を縦枠４０の第１中空部４１内に流出させることができる。
【００６２】
また、図１４に示すように、縦枠４０の第２中空部４２のＬ型金具５２側に当接される壁面には、ボルト・ナット５４のボルト頭部の挿入されるカーテンレール状の溝条４４が設けられている。この溝条４４は、ボルト・ナット５４のボルト頭部がネジ部を外に出しながら縦枠４０の長手方向（縦方向）に沿って自由に移動でき、かつ、そのボルト頭部の脱出を阻止できるように構成されている。したがって、ボルト・ナット５４を移動させることにより、縦枠４０をＬ型金具５２に容易に取り付けることができる。
【００６３】
カバー材４５はアルミニウム合金製の型材からなり、上述した下枠１０に装着されるカバー材２０と同様に構成されていて、縦枠４０の第２中空部４２の外側の一方側で、かつ、その縦枠４０の長手方向（縦方向）に沿って設けられている給水パイプ７０を覆うように設けられている。すなわち、このカバー材４５は、縦枠４０の第２中空部４２の側部の一面側全部を内部に空間を有して覆うことができるようにして、その縦枠４０の長手方向と同方向に延びる長尺状に形成されている。そして、このカバー材４５は下縦枠４０の第２中空部４２に着脱自在に設けられるように構成されている。
【００６４】
なお、このカバー材４５は、縦枠４０の必須の部材ではないが、給水パイプ７０を保護するとともに位置決めができ、また、給水パイプ７０が露出しないのでフレーム１全体の見栄えを良くすることができる。
【００６５】
図１３に示すように、線材６０（植物支持材）は、図示の線材６０はステンレス等の金属製のワイヤーからなり、図２に示されるように、フレーム１の前面側に水平方向に所定の間隔を保って縦方向に複数本配置して構成されている。各線材６０の下端側は、下枠１０の突出片１１に設けられている第１取付孔１４に長さ調整ナット機構６１を介してそれぞれ取り付けられ、その上端側は、上枠３０の突出片３１に設けられている第２取付孔３４に取付具６２を介してそれぞれ取り付けられるように構成されている。
【００６６】
なお、線材６０は金属製のワイヤーとしたが、これを合成樹脂製等の耐久性に富む線材とすることもできる。例えば、ＦＲＰ（繊維強化プラスチック）製のロッド、ＰＥ（ポリエチレン）製のロープ、アルミロッド等の複数種の線材６０を用いることが可能である。そのため、下枠１０と上枠３０のそれぞれの突出片１１、３１に設けられる取付孔１４、３４においても、上述したような複数種の線材６０が変更自在に取り付けられることが好ましい。
【００６７】
さらに、この線材６０は植物がつる性の場合に好適なものとしているので、植物の種類によっては線材６０にネットを張接することもできる。あるいは、線材６０の取付孔１４，３４を利用してネット等の他の植物支持部材を設けるようにしてもよい。
【００６８】
給水パイプ７０は、縦枠４０のカバー材４５内に縦方向に配置され、下枠１０のカバー材２０内では縦方向から横方向に分岐するように配置されている。そして、そのカバー材２０の給水パイプ７０には、その長手方向に沿って、かつ、所定の間隔を保って下向きの小孔が設けられている。
【００６９】
したがって、給水パイプ７０に水が供給されると、水は中空室１８の上面壁上に落下し、その落下した水は潅水部２１を介して収納室１２Ｒに流出し、収納室１２Ｒに収納されている固化培土Ｄに潅水することができる（図１３参照）。なお、給水パイプ７０には、図示しない供給源から水が供給されるが、この際、必要に応じて液肥が添加される。また、給水パイプ７０には、壁面緑化構造Ａ全体で必要とする水の量が過不足なく供給される。
【００７０】
上記構成からなるフレーム１の組み立ては、予め壁面緑化を施す面に設けられている取付枠５０にＬ型金具５２を介して下枠１０、上枠３０及び縦枠４０が取り付けられ、次いで給水パイプ７０が配設される。そして、その配設された給水パイプ７０を覆うようにカバー材２０，４５が装着され、次いで両取付孔１４，３４間に線材６０が張設されて組み立てが完了となる。
【００７１】
壁面緑化構造Ａは、上述のようにして組み立てられるフレーム１を複数枚、上下左右に配置して組み立てられる（図１参照）。組み立てられた壁面緑化構造Ａの下枠１０の収納室１２Ｒに固化培土Ｄが収納され、その固化培土Ｄに所望の植物が植えられる。そして、給水パイプ７０を介して固化培土Ｄに潅水される。なお、下枠１０の収納室１２Ｒにおける固化培土Ｄの収納は、壁面緑化構造Ａの組み立て終了後に行われたが、フレーム１の組み立て時に行うようにしてもよい。
【００７２】
上記構成からなるフレーム１及び壁面緑化構造Ａは、設置現場で容易に組み立てができるので、設置現場における作業時間を短くすることができる。
【００７３】
次に、上述した壁面緑化フレーム及びそれを用いた壁面緑化構造の作用について、図面に基づいて詳細に説明する。
本実施の形態では、下枠１０が固化培土Ｄを収納する収納室１２Ｒ、潅水部２１、第１取付孔１４、及び溝条１９が予め一体でユニット化された構成となっているので、これらの部品が各別に設けられる場合に比べて組み立てや解体を容易に行うことができ、これらの作業にかかる手間や時間を低減することができる。
【００７４】
また、潅水部２１には、カバー材２０が設けられているので、カバー材２０によって下枠１０の潅水部２１が覆われるので、潅水部２１を保護することができるとともに、潅水部２１の内側が外から見えることがないので、下枠１０全体の見栄えが良好となる利点がある。
【００７５】
また、本実施の形態では、下枠１０、一対の縦枠４０、及び上枠３０がそれぞれユニット化されたもので構成され、これら各ユニット１０、４０、３０を組み合わせることで、正面視で矩形状をなす壁面緑化のフレーム構造を容易に作成することができる。
しかも、下枠１０及び上枠３０の間に植物を支持する線材６０を容易に取り付けることができる。
【００７６】
さらに、ボルト・ナット５４のボルトの頭部を溝条１９内に沿って任意の位置に移動させることができるので、壁面緑化を施す面の所定位置に設けられる取付部分の位置にかかわらず取り付けることができる。そのため、組み付け時に生じる位置合わせ作業が不要となり、作業の効率化を図ることができる。
【００７７】
さらにまた、収納室１２Ｒ内に収納される固化培土Ｄは、その収納室１２Ｒの内壁面に間隙を有して収納されており、その間隙において、収納室１２Ｒに収納されている固化培土Ｄに植えられている植物の根の張り出しが抑制されるので、根詰まりが防止され、植物の長期的な健全育成を期待することができる。
【００７８】
上述のように本実施の形態による壁面緑化フレーム及びそれを用いた壁面緑化構造では、固化培土Ｄを収納する収納室１２Ｒ、潅水部２１、第１取付孔１４、及び溝条１９がユニット化され、そのユニット化されたフレーム１を上下左右に配置して壁面緑化構造Ａとすることができるので、設置現場で容易にフレーム１の組み立て、及び壁面緑化構造Ａの製作ができるから、設置現場における作業時間を短くすることができる。
【００７９】
（第２の実施の形態）
図１５は、第２の実施の形態の壁面緑化フレームの全体を示している。図１６〜図２０は、第２の実施の形態による壁面緑化フレームにおける下枠１０Ａのみを示しており、前述した給水パイプ７０、溝条１９、線材６０（図１３参照）が省略されている。この下枠１０Ａは、図１５に示すように、上枠３０Ａとしても共通で使用することができる構成である。そのため、ここでは下枠１０Ａの構成について説明する。
なお、図１６は、下枠１０Ａの長手方向（左右方向）の一方から見た断面図であるが、左右対称であるので、他方から見た断面図については省略する。
【００８０】
第２の実施の形態の下枠１０Ａは、図１６〜図２０に示すように、上述した第１の実施の形態による図１３に示すカバー材２０を一体的に設けており、溝条１９の収納部１２側を囲う中空室１８が省略された構成となっている。つまり、下枠１０Ａは、突出片１１、収納部１２、溝条１９、及びカバー部２２が一体で構成されている。
【００８１】
収納部１２は、取付枠側の後壁１２ｃと、後壁１２ｃに対向する前壁１２ｄと、後壁１２ｃ及び前壁１２ｄの下端同士を連設する底壁１２ｅとから形成されている。前壁１２ｄの下端には、前方に向けて前記突出片１１が設けられている。
溝条１９は、後壁１２ｃの下端側の位置に配置されている。溝条１９には、前方に向けて突出するとともに、固化培土Ｄ（図１６の二点鎖線参照）の後側下端部を下方から支持する支持片２３が設けられている。この支持片２３は、下枠１０Ａの長さ方向の全体にわたって設けられていても良いし、所定の間隔をあけて部分的に設けられていても良い。
カバー部２２は、後壁１２ｃの上端から前方に向けて突出している。
【００８２】
このように構成される下枠１０Ａでは、図１６に示すように、固化培土Ｄが前壁１２ｄから溝条１９までの領域に収容することができるので、上記第１の実施の形態のように中空室１８の壁面１８ａ（図１３参照）を有する構成の場合に比べて、前後方向のより容量の大きな固化培土Ｄを収納することができる。
また、図示しない給水パイプをカバー部２２の下方に配置することで潅水部を形成することができ、給水パイプとともに潅水部を上方から覆って保護することができる。
【００８３】
なお、第２の実施の形態の下枠１０Ａにおいても、水抜き穴及び線材を取り付けるための取付孔は、不図示であるが、第１の実施の形態の下枠１０と同様に下枠１０Ａの長さ方向に沿って適宜な間隔をあけて配置されている。
【００８４】
（第３の実施の形態）
図２１に示す第３の実施の形態による縦枠４０Ａは、上述の第１の実施の形態のカバー材４５（図１４参照）を省略した構成となっており、第２中空部４２の一部に開口部４２ａが形成されている。なお、第１中空部４１、溝条４４の構成については、上記第１の実施の形態と同様である。この場合、開口部４２ａより図示しない給水パイプを第２中空部４２内に配置することができる。
【００８５】
（第４の実施の形態）
次に、第４の実施の形態による壁面緑化フレームについて、図２２を用いて説明する。
第４の実施の形態による下枠１０Ｂ及び上枠１０Ｃは、それぞれ収容部１２の前壁１２ｄ（収納室１２Ｒを挟んで壁面緑化を施す面（取付枠）側とは反対側の壁部分）の形状が平板状ではなく、上下方向に沿って湾曲するとともに、収納室１２Ｒ側に凹となる円弧状の凹曲面１２ｆが形成されている。この場合、風を受けやすい凹曲面１２ｆが円弧状になっていて、矢印Ｆのように曲面に沿って風が流れるため、線材６０に絡まっている植物Ｂの根元部分Ｂａや、上枠１０Ｃ付近まで伸びた植物Ｂの上端部分Ｂｂに風が直接当たるのを防止することができる。
【００８６】
また、本実施の形態の下枠１０Ｂ及び上枠１０Ｃでは、突出片１１の前側の端部１１ａが曲面状に形成されている。そのため、上下に配設される緑化フレーム１、１同士の間に形成される隙間（符号Ｎ部分）を風が通過する際、すなわち上下の突出片１１の端部１１ａの曲面に沿って風が滑らかに流れるので、前記隙間Ｎを通過する際に生じる風切音を小さく抑えることができる。
【００８７】
以上、本発明による壁面緑化フレーム及びそれを用いた壁面緑化構造の実施の形態について説明したが、本発明は上記の実施の形態に限定されるものではなく、その趣旨を逸脱しない範囲で適宜変更可能である。
【００８８】
例えば、本実施の形態では、上枠３０を下枠１０と別に製造したが、両者は線材６０の取付位置が同じであるので、上枠３０も下枠１０と同じ構成とすることもできる。
【００８９】
その他、本発明の趣旨を逸脱しない範囲で、上記した実施の形態における構成要素を周知の構成要素に置き換えることは適宜可能である。
【符号の説明】
【００９０】
Ａ  壁面緑化構造
Ｂ  植物
Ｄ  固化培土
１  フレーム（壁面緑化フレーム）
１０、１０Ａ  下枠
１１  突出片（フラットバー）
１１ａ  端部
１２  収納部
１２Ｒ  収納室
１３  取付部
１４  第１取付孔（支持材取付部）
１５  底面
１６  水抜き穴
１７  突起
１８  中空室
１９  溝条（取付機構）
２０  カバー材
２１  潅水部
３０、３０Ａ  上枠
３１  突出片（フラットバー）
３２  中間部
３３  取付部
３４  第２取付孔（支持材取付部）
３５，３６  中空部
３７  溝条
４０、４０Ａ  縦枠
４１  第１中空部
４２  第２中空部
４３  切欠部
４４  溝条
４５  カバー材
５０  取付枠
５１  取付片
５２  Ｌ型金具
５３，５４  ボルト・ナット
６０  線材（支持材）
６１  長さ調整ナット機構
６２  取付具
７０  給水パイプ
【図１】
2014193149.tif 000003
【図２】
2014193149.tif 000004
【図３】
2014193149.tif 000005
【図４】
2014193149.tif 000006
【図５】
2014193149.tif 000007
【図６】
2014193149.tif 000008
【図７】
2014193149.tif 000009
【図８】
2014193149.tif 000010
【図９】
2014193149.tif 000011
【図１０】
2014193149.tif 000012
【図１１】
2014193149.tif 000013
【図１２】
2014193149.tif 000014
【図１３】
2014193149.tif 000015
【図１４】
2014193149.tif 000016
【図１５】
2014193149.tif 000017
【図１６】
2014193149.tif 000018
【図１７】
2014193149.tif 000019
【図１８】
2014193149.tif 000020
【図１９】
2014193149.tif 000021
【図２０】
2014193149.tif 000022
【図２１】
2014193149.tif 000023
【図２２】
2014193149.tif 000024